(57)【要約】【課題】タッチパネル有する情報端末において、良好な操作性を提供する。【解決手段】情報端末１は、タッチパネルＴを有し、タッチパネルに対する入力操作に関する操作情報を取得する取得部１１と、操作情報における第１の所定操作の操作量を判断する判断部１２と、第１の所定操作の操作量に応じて、タッチパネルＴにおける操作の受付が可能な操作領域を、タッチパネルＴの画面に対して縮小させる制御部１３を含み、判断部１２は、操作情報における入力操作の操作開始位置を判断しない。【選択図】図２
2014182588.tif 000002
【特許請求の範囲】
【請求項１】
タッチパネルを有する情報端末であって、
前記タッチパネルに対する入力操作に関する操作情報を取得する取得手段と、
前記取得手段により取得された前記操作情報に基づき、第１の所定操作が行われたこと及び操作量を判断する判断手段と、
前記判断手段により行われたことが判断された前記第１の所定操作における前記操作量に応じて前記タッチパネルにおける操作の受付が可能な操作領域を、縮小させる制御手段と、を含み、
前記判断手段は、前記操作情報における入力操作の操作開始位置を判断しない、
情報端末。
【請求項２】
前記制御手段は、アプリケーションにより設定された表示領域であって該アプリケーションから出力された表示内容を表示する表示領域を、前記操作領域と同様に縮小させる、
請求項１に記載の情報端末。
【請求項３】
前記判断手段は、前記操作情報に基づき、前記タッチパネルに対する第２の所定操作に引き続き前記第１の所定操作が行われた場合に、前記第１の所定操作が行われたこと及び前記操作量を判断する、
請求項１または２に記載の情報端末。
【請求項４】
前記制御手段は、前記判断手段により前記第２の所定操作が行われたことが判断された場合に、前記第１の所定操作を案内するための案内オブジェクトを前記タッチパネルに表示する、
請求項３に記載の情報端末。
【請求項５】
前記制御手段は、前記判断手段により第３の所定操作がタッチパネルに対して行われたことが判断された場合、又は、当該情報端末が有するセンサにより所定の事象が検出された場合に、縮小された前記操作領域を元のサイズに戻す、
請求項１〜４のいずれか１項に記載の情報端末。
【請求項６】
前記操作領域は、タッチパネルの画面の全部又は一部に対してアプリケーションにより設定される領域であって、アプリケーションに対する入力を受け付ける領域である、
請求項１〜５のいずれか１項に記載の情報端末。
【請求項７】
タッチパネルを有する情報端末における、前記タッチパネルにおける操作の受付が可能な操作領域を制御する操作領域制御方法であって、
前記タッチパネルに対する入力操作に関する操作情報を取得する取得ステップと、
前記取得ステップにおいて取得された前記操作情報に基づき、第１の所定操作が行われたこと及び操作量を判断する判断ステップと、
前記判断ステップにおいて行われたことが判断された前記第１の所定操作における前記操作量に応じて前記タッチパネルにおける操作の受付が可能な操作領域を縮小させる制御ステップと、を有し、
前記判断ステップにおいて、前記操作情報における入力操作の操作開始位置を判断しない、
操作領域制御方法。
【請求項８】
タッチパネルを有する情報端末に、
前記タッチパネルに対する入力操作に関する操作情報を取得する取得機能と、
前記取得機能により取得された前記操作情報に基づき、第１の所定操作が行われたこと及び操作量を判断する判断機能と、
前記判断機能により行われたことが判断された前記第１の所定操作における前記操作量に応じて前記タッチパネルにおける操作の受付が可能な操作領域を、縮小させる制御機能と、を実現させ、
前記判断機能は、前記操作情報における入力操作の操作開始位置を判断しない、
操作領域制御プログラム。
【発明の詳細な説明】
【技術分野】
【０００１】
本発明は、情報端末、操作領域制御方法及び操作領域制御プログラムに関する。
【背景技術】
【０００２】
タッチパネルの機能を備えたディスプレイを有する情報端末が普及している。また、近年において、より多くの情報を表示するために、情報端末の画面が大型化している。このような情報端末において、画面に表示されたウインドウ等のオブジェクトの大きさを単に拡大及び縮小させる技術が知られている。（例えば、特許文献１、２参照）。
【先行技術文献】
【特許文献】
【０００３】
【特許文献１】特開２００９−１６９４５２号公報
【特許文献２】特開２００５−１００１９９号公報
【発明の概要】
【発明が解決しようとする課題】
【０００４】
情報端末のユーザは、情報端末を一方の手で保持しながら、その手の指により種々の入力操作をする場合が多い。かかる態様での操作において、画面の大型化により、タッチパネルにおいて情報端末を保持した手の指が届かない部分が生じることがあり、操作性の悪化を招来していた。
【０００５】
そこで、本発明は、上記問題点に鑑みてなされたものであり、タッチパネルを有する情報端末において、良好な操作性を提供できる情報端末、操作領域制御方法及び操作領域制御プログラムを提供することを目的とする。
【課題を解決するための手段】
【０００６】
上記課題を解決するために、本発明の情報端末は、タッチパネルを有する情報端末であって、タッチパネルに対する入力操作に関する操作情報を取得する取得手段と、取得手段により取得された操作情報に基づき、第１の所定操作が行われたこと及び操作量を判断する判断手段と、判断手段により行われたことが判断された第１の所定操作における操作量に応じてタッチパネルにおける操作の受付が可能な操作領域を、縮小させる制御手段と、を含み、判断手段は、操作情報における入力操作の操作開始位置を判断しない。
【０００７】
また、上記課題を解決するために、本発明の操作領域制御方法は、タッチパネルを有する情報端末における、タッチパネルにおける操作の受付が可能な操作領域を制御する操作領域制御方法であって、タッチパネルに対する入力操作に関する操作情報を取得する取得ステップと、取得ステップにおいて取得された操作情報に基づき、第１の所定操作が行われたこと及び操作量を判断する判断ステップと、判断ステップにおいて行われたことが判断された第１の所定操作における操作量に応じてタッチパネルにおける操作の受付が可能な操作領域を縮小させる制御ステップと、を有し、判断ステップにおいて、操作情報における入力操作の操作開始位置を判断しない。
【０００８】
また、上記課題を解決するために、本発明の操作領域制御プログラムは、タッチパネルを有する情報端末に、タッチパネルに対する入力操作に関する操作情報を取得する取得機能と、取得機能により取得された操作情報に基づき、第１の所定操作が行われたこと及び操作量を判断する判断機能と、判断機能により行われたことが判断された第１の所定操作における操作量に応じてタッチパネルにおける操作の受付が可能な操作領域を、縮小させる制御機能と、を実現させ、判断機能は、操作情報における入力操作の操作開始位置を判断しない。
【０００９】
本発明の情報端末、操作領域制御方法及び操作領域制御プログラムによれば、入力操作に関する操作情報に基づき、例えばドラッグ操作といった所定操作における操作量が判断され、タッチパネルにおける操作の受付が可能な操作領域が、判断された操作量に応じてタッチパネルの画面に対して縮小される。この縮小制御では、入力操作の操作開始位置が判断されないので、ユーザは、この操作を、ディスプレイにおける指の届く範囲で実施できる。そして、このように操作領域が縮小されることにより、操作領域において指が届かなかった部分を、指が届く領域に収めることが可能となる。これにより、良好な操作性が実現する。
【００１０】
また、本発明の情報端末では、制御手段は、アプリケーションにより設定された表示領域であって該アプリケーションから出力された表示内容を表示する表示領域を、操作領域と同様にタッチパネルの画面に対して縮小させる。
【００１１】
上記構成によれば、操作領域と表示領域とが一体となって構成されるＧＵＩにおいて、表示領域が操作領域と同様に縮小されるので、ディスプレイにおける操作位置を適切にユーザに提示でき、良好な操作性が担保される。
【００１２】
また、本発明の情報端末では、判断手段は、操作情報に基づき、タッチパネルに対する第２の所定操作に引き続き第１の所定操作が行われた場合に、第１の所定操作が行われたこと及び操作量を判断する。
【００１３】
上記構成によれば、第２の所定操作が行われたことが判断された場合に限り、操作領域の縮小を指示するための第１の所定操作が行われたこと及びその操作量が判断されるので、操作領域を縮小させるための操作と、操作領域を縮小させるための操作と同態様の操作による通常の入力操作との峻別が可能となる。これにより、操作領域の縮小を適切に実施できる。
【００１４】
また、本発明の情報端末では、制御手段は、判断手段により第２の所定操作が行われたことが判断された場合に、第１の所定操作を案内するための案内オブジェクトをタッチパネルに表示する。
【００１５】
上記構成によれば、第２の所定操作が行われた場合に第１の所定操作を案内するためのオブジェクトが表示されるので、ユーザは操作領域の縮小のための操作方法を認識できるので、ユーザに容易に操作領域の縮小を実施させることができる。
【００１６】
また、本発明の情報端末では、制御手段は、判断手段により第３の所定操作がタッチパネルに対して行われたことが判断された場合、又は、当該情報端末が有するセンサにより所定の事象が検出された場合に、縮小された操作領域を元のサイズに戻す。
【００１７】
上記構成によれば、第３の所定操作が実施されるまで、または所定の事象が検出されるまで、操作領域が縮小された状態が維持されるので、ユーザは所望の間だけ、縮小された操作領域に対する操作を継続できる。これにより、より良好な操作性が実現される。また、第３の所定操作等を実施することにより、操作領域が元のサイズに戻されるので、必要に応じた操作領域の縮小及び元のサイズへの復帰をさせることができる。
【００１８】
また、本発明の情報端末では、操作領域は、タッチパネルの画面の全部又は一部に対してアプリケーションにより設定される領域であって、アプリケーションに対する入力を受け付ける領域である。
【００１９】
上記構成によれば、操作領域の縮小制御は、アプリケーションにより設定された操作領域が当該情報端末の制御により縮小されるものであるので、アプリケーションは、操作領域のタッチパネルにおけるサイズの変更を認識する必要がない。従って、操作領域の縮小を実現するためにアプリケーションのカスタマイズを要さない。
【発明の効果】
【００２０】
タッチパネルを有する情報端末において、良好な操作性を提供することが可能となる。
【図面の簡単な説明】
【００２１】
【図１】情報端末の構成を示す模式図である。
【図２】情報端末の機能的構成を示すブロック図である。
【図３】情報端末のハードブロック図である。
【図４】操作領域の縮小のための操作及び縮小の例を模式的に示す図である。
【図５】縮小された操作領域を元のサイズに戻すための操作及び操作領域のサイズの復帰の例を模式的に示す図である。
【図６】操作領域及び表示領域の縮小及びサイズの復帰を示す図である。
【図７】操作領域制御方法の処理内容を示すフローチャートである。
【図８】操作領域制御プログラムの構成を示す図である。
【発明を実施するための形態】
【００２２】
本発明に係る情報端末、操作領域制御方法及び操作領域制御プログラムの実施形態について図面を参照して説明する。なお、可能な場合には、同一の部分には同一の符号を付して、重複する説明を省略する。
【００２３】
図１は、情報端末の構成を示す模式図である。情報端末１は、図１（ａ）に示すようにタッチパネルＴを有する、例えば、スマートフォンといった端末装置であって、タッチパネルＴにおける操作の受付が可能な操作領域を縮小する制御が可能である。また、情報端末１は、図１（ｂ）に示すように、入力受付部２１及び機能部Ｃを含む。入力受付部２１は、例えば、静電センサといった装置により構成され、タッチパネルＴに対する入力操作が行われた位置を示す座標情報を取得できる。機能部Ｃは、情報端末１における各種機能を実現するためのものであり、例えば、アプリケーションプログラムがロードされたＣＰＵといった装置により実現される。
【００２４】
図２は、情報端末１の機能的構成を示すブロック図である。図２に示すように、情報端末１は、機能的には、取得部１１（取得手段）、判断部１２（判断手段）及び制御部１３（制御手段）を備える。また、情報端末１は、タッチパネルＴにより構成される入力受付部２１及び表示部２２を含む。入力受付部２１は、前述のとおり、タッチパネルＴに対する入力操作が行われた位置を示す座標情報を取得でき、座標情報を含む操作情報を生成できる。表示部２２は、各種のテキスト及び画像等を表示する部分であって、本実施形態では、例えば、制御部１３の制御により各種画像等を表示する。
【００２５】
図３は、情報端末１のハードウエア構成図である。情報端末１は、物理的には、図３に示すように、ＣＰＵ１０１、主記憶装置であるＲＡＭ１０２及びＲＯＭ１０３、データ送受信デバイスである通信モジュール１０４、ハードディスク、フラッシュメモリ等に例示される補助記憶装置１０５、入力デバイスであるタッチパネル及びキーボード等に例示される入力装置１０６、ディスプレイ等の出力装置１０７などを含むコンピュータシステムとして構成されている。図２に示した各機能は、図３に示すＣＰＵ１０１、ＲＡＭ１０２等のハードウエア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。再び、図２を参照し、情報端末１の各機能部について詳細に説明する。
【００２６】
取得部１１は、タッチパネルＴに対する入力操作に関する操作情報を取得する部分である。具体的には、入力受付部２１が、ユーザによるタッチパネルＴに対する入力操作における入力位置の複数の座標情報を取得し、取得部１１は、入力受付部２１により取得された複数の入力位置の座標情報を取得する。
【００２７】
判断部１２は、取得部１１により取得された操作情報に基づき、第１の所定操作が行われたこと及び操作量を判断する部分である。第１の所定操作は、操作領域の縮小を指示するための操作であって、例えば、予め情報端末１において設定されている。具体的には、第１の所定操作がドラッグ操作である場合には、判断部１２は、ユーザによりタッチパネルＴに対してドラッグ操作が行われると、操作情報に含まれる複数の座標情報に示される位置の軌跡に基づき、ユーザの入力操作に係る入力位置の移動量を操作量として判断する。この判断において、判断部１２は、入力操作の捜査開始位置を判断しない。従って、ユーザは、本実施形態の操作領域の縮小制御のための入力操作を、タッチパネルＴにおける指の届く範囲で実施できる。なお、第１の所定操作については、後に詳述する。
【００２８】
制御部１３は、判断部１２により判断された第１の所定操作における操作量に応じて、操作領域を、タッチパネルの画面に対して縮小させる部分である。即ち、制御部１３は、例えば、タッチパネルに対する第１の所定操作に基づき取得及び判断された操作量に応じて、タッチパネルの画面の全部又は一部に設定された操作領域を、タッチパネルに対して縮小させることができる。
【００２９】
操作領域は、例えば、タッチパネルの画面の全部又は一部に対してアプリケーションＡＰにより設定される領域であって、アプリケーションＡＰに対する入力を受け付ける領域である。制御部１３は、アプリケーションＡＰから出力された表示内容を表示部２２に表示する制御を行うと共に、入力受付部２１により受け付けられた入力操作に関する情報をアプリケーションＡＰに認識させる制御を行う。本実施形態の情報端末１では、アプリケーションの機能及び制御とは別個に、制御部１３が操作領域の縮小を制御するので、アプリケーションＡＰは、操作領域の縮小等のサイズの変更を認識する必要がない。従って、本実施形態における操作領域の縮小を実現するために、アプリケーションのカスタマイズを行う必要がない。
【００３０】
また、制御部１３は、アプリケーションＡＰにより設定された表示領域であって当該アプリケーションから出力された表示内容を表示する表示領域を、操作領域と同様にタッチパネルの画面に対して縮小させる。このように表示領域を縮小させることにより、操作領域と表示領域とが一体となって構成されるＧＵＩにおいて、タッチパネルＴにおける操作位置を適切にユーザに提示でき、良好な操作性が担保される。
【００３１】
また、判断部１２は、タッチパネルに対する第２の所定操作に引き続き第１の所定操作が行われた場合に、第１の所定操作が行われたこと及び操作量を判断することとしてもよい。即ち、判断部１２が、操作情報に基づき、タッチパネルに対する第２の所定操作に引き続き第１の所定操作が行われたことを判断した場合に、制御部１３は、判断部１２により判断された第１の所定操作における操作量に基づき、操作領域等を縮小させる。
【００３２】
第２の所定操作は、例えば、タッチパネルＴに対する任意の位置の長押しである。また、第２の所定操作は、タッチパネルＴの画面領域外から、タッチパネルＴの四辺のいずれかを横切り、タッチパネルＴの画面内に至るように軌跡が描かれるドラッグ操作であってもよい。
【００３３】
次に、図４を参照して、操作領域の縮小制御の例を具体的に説明する。図４は、操作領域の縮小のための操作及び縮小の例を模式的に示す図である。まず、図４（ａ）は、タッチパネルＴの画面の全体に操作領域Ｒが設定されている状態を示す。このようなタッチパネルＴに対して、図４（ｂ）に示すように、符号Ｐ１に示されるように長押しの操作が行われ、引き続き符号Ｄ１に示されるようにドラッグ操作が行われると、取得部１１は、符号Ｐ１及び符号Ｄ１に表される入力操作に関する操作情報を取得する。
【００３４】
続いて、判断部１２は、操作情報に基づき、第２の所定操作としての長押しの操作が行われたことを判断し、かかる操作に引き続き第１の所定操作としてのドラッグ操作が行われたことを判断する。このとき、判断部１２は、ドラッグ操作にかかる入力位置の移動軌跡の長さを第１の所定操作における操作量として判断する。そして、制御部１３は、符号Ｄ１に示されるドラッグ操作における操作量に基づき、操作領域Ｒを移動させる。
【００３５】
図４（ｂ）に示す例では、操作領域の左下角を基点として縮小されることが予め設定されているものとして、符号Ｄ１に示されるドラッグ操作は、タッチパネルＴにおける左下方向に向かって行われているので、制御部１３は、操作領域Ｒ１に示されるように、操作領域Ｒを、タッチパネルＴにおける下方向に、ドラッグ操作の操作量に応じた縮小率で縮小させる。なお、ドラッグ操作の軌跡の長さと縮小率との対応付けは予め設定されている。
【００３６】
また、符号Ｄ１で示されるドラッグ操作の逆の方向にドラッグ操作が行われた場合に、制御部１３は、その操作量に応じて、操作領域を拡大させることとしてもよい。
【００３７】
また、図４（ｃ）に示す例では、符号Ｐ２に示されるように長押しの操作が行われ、引き続き符号Ｄ２に示されるように、右回りの円を描くようにドラッグ操作が行われると、取得部１１は、符号Ｐ２及び符号Ｄ２に表される入力操作に関する操作情報を取得する。
【００３８】
続いて、判断部１２は、操作情報に基づき、第２の所定操作としての長押しの操作が行われたことを判断し、かかる操作に引き続き第１の所定操作としての右回りの円を描くようなドラッグ操作が行われたことを判断する。このとき、判断部１２は、符号Ｄ２に示されるドラッグ操作の軌跡により円が描かれた回数を第１の所定操作における操作量として判断する。そして、制御部１３は、符号Ｄ２に示されるドラッグ操作における操作量に基づき、操作領域Ｒを縮小させる。
【００３９】
図４（ｃ）に示す例では、タッチパネルＴの中心を基点として縮小されることが予め設定されているものとして、符号Ｄ２に示されるドラッグ操作は、タッチパネルＴにおける左下方向に向かって行われているので、制御部１３は、操作領域Ｒ２に示されるように、操作領域Ｒを、符号Ｄ２に示されるドラッグ操作の軌跡により円が描かれた回数に応じた縮小率で縮小させる。なお、ドラッグ操作により円が描かれた回数と縮小率との対応付けは予め設定されている。
【００４０】
また、符号Ｄ２で示されるドラッグ操作の逆の方向、即ち左回りにドラッグ操作により円が描かれた場合に、制御部１３は、その操作量に応じて、操作領域を拡大させることとしてもよい。
【００４１】
また、図４（ｃ）に示す例では、符号Ｐ３に示されるように第２の所定操作としての長押しの操作が行われると、制御部１３は、第１の所定操作を案内するための案内オブジェクトＯ３をタッチパネルに表示する。具体的には、図４（ｃ）に示すように、制御部１３は、長押しの操作が行われた位置を基点として、下方向にドラッグ操作を行った場合に操作領域が縮小され、上方向にドラッグ操作を行った場合に操作領域が拡大されることを示すスケールの案内オブジェクトＯ３をタッチパネルＴに表示する。このような案内オブジェクトＯ３が表示されることにより、ユーザは操作領域の縮小のための操作方法を認識できるので、ユーザに容易に操作領域の縮小を実施させることができる。
【００４２】
なお、図４（ｃ）では、案内オブジェクトＯ３及び符号Ｐ３に示される操作の図示した際の視認性を確保するために、案内オブジェクトＯ３と符号Ｐ３及び符号Ｄ３に示される図形とがずらされて示されているが、実際は、符号Ｐ３及び符号Ｄ３に示される図形は、案内オブジェクトＯ３に重なる位置に位置する。
【００４３】
ユーザにより、案内オブジェクトＯ３の案内に従って、符号Ｄ３に示されるドラッグ操作が行われると、判断部１２は、符号Ｄ３に示されるドラッグ操作の軌跡の長さを第１の所定操作における操作量として判断する。そして、制御部１３は、操作領域Ｒ３に示されるように、タッチパネルＴの中心を基点として、符号Ｄ３に示されるドラッグ操作における操作量に基づき操作領域Ｒを縮小させる。
【００４４】
また、符号Ｄ３で示されるドラッグ操作の逆の方向、即ち上方向にドラッグ操作が行われた場合に、制御部１３は、その操作量に応じて、操作領域を拡大させることとしてもよい。
【００４５】
次に、縮小移動された操作領域を元のサイズに戻す制御について説明する。制御部１３は、判断部１２により第３の所定操作がタッチパネルに対して行われたことが判断された場合、又は、当該情報端末１が有するセンサにより所定の事象が検出された場合に、縮小された操作領域を元のサイズに戻す。図５は、縮小された操作領域を元のサイズに戻すための操作及びサイズの復帰の例を模式的に示す図である。
【００４６】
第３の所定操作は、例えば、タッチパネルＴにおける縮小された操作領域内の任意の位置の長押し及び引き続く所定方向（例えば、上方向）に向かうフリック操作である。図５（ａ）に示すように、符号Ｐ４に示されるように縮小された操作領域Ｒ４内において長押しの操作が行われ、引き続き符号Ｄ４に示されるようにフリック操作が行われたことが判断部１２により判断されると、制御部１３は、操作領域Ｒ５に示されるように、縮小された操作領域Ｒ４を、元の位置に戻す。
【００４７】
また、第３の所定操作は、タッチパネルＴにおける縮小された操作領域外の位置におけるタップ操作であってもよい。図５（ｂ）に示すように、符号Ｐ６に示されるように、縮小された操作領域Ｒ６外においてタップ操作が行われたことが判断部１２により判断されると、制御部１３は、操作領域Ｒ７に示されるように、縮小された操作領域Ｒ６を、元の位置に戻す。
【００４８】
また、情報端末１が加速度センサを有する場合に、加速度センサが、ユーザによる情報端末１を振る操作を検出した場合に、制御部１３は、移動された操作領域を元の位置に戻すこととしてもよい。
【００４９】
次に図６を参照して、操作領域及び表示領域の縮小の具体例を説明する。図６（ａ）は、操作領域等が縮小される前のタッチパネルＴの画面例を示す図である。ユーザが情報端末１を左手により保持した状態では、例えば「設定」といったアイコンを左手の指で操作することは困難である。そこで、上述したような操作及び制御により、図６（ｂ）に示すように、操作領域及び表示領域を縮小させると、左手の指により「設定」のアイコンを操作することが可能になる。そして、操作領域及び表示領域を元のサイズに戻す所定操作を行うことにより、図６（ｃ）に示すように、操作領域及び表示領域が元のサイズに戻される。
【００５０】
次に、図７を参照して、情報端末１における操作領域制御方法について説明する。図７は、操作領域制御方法の処理内容を示すフローチャートである。
【００５１】
まず、情報端末１は、ユーザによるタッチパネルＴに対する入力操作が行われたか否かを判定する（Ｓ１）。入力操作が行われたと判定された場合には、処理手順はステップＳ２に進められる。一方、入力操作が行われたと判定されなかった場合には、処理手順はステップＳ１に戻り、入力操作が行われたことが検出されるまでステップ１の処理が繰り返される。
【００５２】
ステップ２において、取得部１１は、タッチパネルＴに対する入力操作に関する操作情報を取得する（Ｓ２）。続いて、判断部１２は、操作情報に基づき、操作領域の縮小を指示するための第２の所定操作が行われたか否かを判断する（Ｓ３）。第２の所定操作が行われたと判断された場合には、処理手順はステップＳ４に進められる。一方、第２の所定操作が行われたと判断されなかった場合には、処理手順はステップＳ６に進められる。
【００５３】
ステップＳ４において、判断部１２は、第２の所定操作に引き続き行われた第１の所定操作における操作量を判断する（Ｓ４）。そして、制御部１３は、第１の所定操作における操作量に基づき、操作領域を縮小させる（Ｓ５）。
【００５４】
ステップＳ６において、制御部１３は、操作領域等が既に縮小されていて、且つ、操作領域を元のサイズに戻すことを指示するための第３の所定操作が行われたか否かを判断する（Ｓ６）。第３の所定操作が行われたと判断された場合には、処理手順はステップＳ７に進められる。一方、第３の所定操作が行われたと判断されなかった場合には、処理手順はステップＳ１に戻る。
【００５５】
ステップＳ７において、制御部１３は、タッチパネルＴにおいて縮小された操作領域等を元のサイズに戻す（Ｓ７）。
【００５６】
次に、コンピュータを、本実施形態の情報端末１として機能させるための操作領域制御プログラムについて説明する。図８は、操作領域制御プログラム１ｍの構成を示す図である。
【００５７】
操作領域制御プログラム１ｍは、操作領域制御処理を統括的に制御するメインモジュール１０ｍ、取得モジュール１１ｍ、判断モジュール１２ｍ及び制御モジュール１３ｍを備えて構成される。そして、各モジュール１１ｍ〜１３ｍにより、情報端末１における各機能部１１〜１３のための各機能が実現される。なお、操作領域制御プログラム１ｍは、通信回線等の伝送媒体を介して伝送される態様であってもよいし、図８に示されるように、記録媒体１ｄのプログラム格納領域１ｒに記憶される態様であってもよい。
【００５８】
以上説明した本実施形態の情報端末１、操作領域制御方法及び操作領域制御プログラム１ｍでは、入力操作に関する操作情報に基づき、例えばドラッグ操作といった所定操作における操作量が判断され、タッチパネルにおける操作の受付が可能な操作領域が、判断された操作量に応じてタッチパネルの画面に対して縮小される。この縮小制御では、入力操作の操作開始位置が判断されないので、ユーザは、この操作を、ディスプレイにおける指の届く範囲で実施できる。そして、このように操作領域が縮小されることにより、操作領域において指が届かなかった部分を、指が届く領域に収めることが可能となる。これにより、良好な操作性が実現する。
【００５９】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【００６０】
１…情報端末、１１…取得部、１２…判断部、１３…制御部、１ｄ…記録媒体、１ｍ…操作領域制御プログラム、１０ｍ…メインモジュール、１１ｍ…取得モジュール、１２ｍ…判断モジュール、１３ｍ…制御モジュール、２１…入力受付部、２２…表示部、ＡＰ…アプリケーション、Ｒ…操作領域、Ｔ…タッチパネル。
【図１】
2014182588.tif 000003
【図２】
2014182588.tif 000004
【図３】
2014182588.tif 000005
【図４】
2014182588.tif 000006
【図５】
2014182588.tif 000007
【図６】
2014182588.tif 000008
【図７】
2014182588.tif 000009
【図８】
2014182588.tif 000010